(57)【要約】【課題】介護施設にて監視カメラにより被介護者の行動を監視する方法によれば、常時行動を注視しなければならず、また、被介護者のプライバシーも保護されない。音声追尾カメラも知られているが、介護施設に適用しようとしても被介護者のプライバシー保護はなされない。【解決手段】介護施設１０内の各所に音声追尾カメラ２０を配置し、被介護者２８の発する異常音を検出すると、このときの映像並びに音声は中央管理装置１７へ送信される。被介護者２８の映像、音声は予めアクセス権限の登録された介護人によってのみ見ることができる。介護人は映像、音声によって、速やかに被介護者のところへ行き、適切な介護や処置を行うことができる。【選択図】    図１
2004153732.tif 000002
【特許請求の範囲】
【請求項１】
介護施設内の各所に音声追尾型カメラを配置し、前記介護施設内の被介護者に基いて発生する一定レベル以上の音声に応じて前記音声追尾型カメラを当該音声発生源である被介護者へ向ける如く追尾せしめ、この音声追尾型カメラから収集された映像は予めアクセス権限の登録されている者によってのみ見ることが可能な如く構成されていることを特徴とする介護施設監視システム。
【請求項２】
前記音声追尾型カメラは、少なくとも前記被介護者の居室に配置されており、前記介護施設内にＬＡＮが構築されていて、このＬＡＮには前記音声追尾型カメラが接続されているとともに、中央処理装置が接続されており、前記音声追尾型カメラによって収集された映像、音声は前記ＬＡＮを経由して前記中央処理装置に格納される如く構成されていることを特徴とする請求項１記載の介護施設監視システム。
【請求項３】
介護施設内に音声追尾型カメラを配置し、この音声追尾型カメラによって前記介護施設内の被介護者の映像、音声を収集し得る如く構成し、前記被介護者の家族の自宅にも前記音声追尾型カメラを配置して、前記介護施設と前記被介護者の家族の自宅との間を通信回線で接続し、前記被介護者と前記家族とが対話し得る如く構成したことを特徴とする介護施設監視システム。
【発明の詳細な説明】
【０００１】
【発明が属する技術分野】
本発明は、音声追尾型カメラを利用した介護施設監視システムに関する。
【０００２】
【従来の技術】
各種介護施設においては、被介護者の行動把握は最適介護並びに事故防止の観点から非常に重要な事項である。被介護者の居室内やトイレ等の常時周囲に人がいない場所あるいは廊下等で被介護者が倒れたり異常な行動から身体に危険が及ぶようなことがあった場合、近くに介護人あるいは発見者がいないと、すぐに救助や介護ができないこととなる。このような事態を回避するため、介護施設の要所毎に監視カメラを設置し、異常事態の発生をいち早く発見することは広く行われている。
【０００３】
また、音声追尾型カメラを侵入者検出に利用する技術も開示されている。すなわち、マイクロフォンを装着したカメラが異常音を検出すると、その音源方向にカメラが向くよう駆動されるようになっている。その後、カメラが撮像した画像から侵入者を検出してその侵入者が撮像されるようにカメラを制御する（特許文献１参照）。
【０００４】
【特許文献１】
特開２０００−９２３６８号公報。
【０００５】
【発明が解決しようとする課題】
介護施設において監視カメラにより被介護者の行動を監視するシステムにおいては、常時被介護者の行動を注視しなければならず、被介護者のプライバシーの侵害となることもある。また、常時監視することから、監視のための監視職員を常駐させなければならず、監視職員が異常を検知した場合には担当する介護人へ言葉でその旨を伝達しなければならなかった。また、カメラを可動させることも可能であるが、一定方向への回転動作の場合には視野範囲が限定され、十分な監視効果が期待できない。また自在に必要な箇所へカメラを向けるためには、監視職員によって遠隔操作しなければなかった。
【０００６】
音声追尾型カメラによる侵入者の検出技術によっても、介護施設においては被介護者の行動を逐一監視することはプライバシーの侵害となることも多い。本発明は、このような課題を解決するためになされたもので、被介護者のプライバシーを保護しつつ、被介護者に対する真に必要な介護を十分に行い、加えて被介護者の身体に危険が及ぶことのないよう監視することを可能とする介護施設監視システムを提供することを目的とする。
【０００７】
【課題を解決するための手段】
本発明に係わる介護施設監視システムは、介護施設内の各所に音声追尾型カメラを配置し、前記介護施設内の被介護者に基いて発生する一定レベル以上の音声に応じて前記音声追尾型カメラを当該音声発生源である被介護者へ向ける如く追尾せしめ、この音声追尾型カメラから収集された映像は予めアクセス権限の登録されている者によってのみ見ることが可能な如く構成されていることを要旨とする。
【０００８】
更に本発明に係わる介護施設監視システムは、前記音声追尾型カメラは、少なくとも前記被介護者の居室に配置されており、前記介護施設内にＬＡＮが構築されていて、このＬＡＮには前記音声追尾型カメラが接続されているとともに、中央処理装置が接続されており、前記音声追尾型カメラによって収集された映像、音声は前記ＬＡＮを経由して前記中央処理装置に格納される如く構成されていることを要旨とする。
【０００９】
更に本発明に係わる介護施設監視システムは、介護施設内に音声追尾型カメラを配置し、この音声追尾型カメラによって前記介護施設内の被介護者の映像、音声を収集し得る如く構成し、前記被介護者の家族の自宅にも前記音声追尾型カメラを配置して、前記介護施設と前記被介護者の家族の自宅との間を通信回線で接続し、前記被介護者と前記家族とが対話し得る如く構成したことを要旨とする。
【００１０】
【発明の実施の形態】
以下に本発明の第１実施形態を図を参照して説明する。図１は本発明に係わる介護施設監視システムの主要部を示したものである。介護施設１０には事務室１１、ナースセンター１２、被介護者居室１３、娯楽室１４、トイレ１５、廊下１６等から構成されている。事務室１１には、中央処理装置１７が設置されており、この中央処理装置１７は、制御部１７ａ、通信インターフェース部１７ｂ、表示部１７ｃから構成されている。また、制御部１７ａには映像録画・音声録音装置１８が接続されている。
【００１１】
ナースセンター１２には表示装置１９が設置されている。被介護者居室１３、娯楽室１４、トイレ１５、廊下１６のそれぞれには、音声追尾型カメラ２０、２１、２２、２３が設置されており、各カメラ２０、２１、２２、２３にはカメラ用サーバ２４、２５、２６、２７が接続されている。
【００１２】
介護施設１０内には、施設内ＬＡＮ３２が有線あるいは無線によって各所に設けられている。施設内ＬＡＮ３２には中央処理装置１７、表示装置１９、音声追尾型カメラ２０、２１、２２、２３が接続されている。音声追尾型カメラ２０、２１、２２、２３は、一定レベルの音声に反応してその音源の方向へ駆動され、一定以上のレベルの音を検知するとその異常を中央処理装置１７へ通知する。音声追尾型カメラ２０、２１、２２、２３から収集した映像・音声は中央処理装置１７へ送信され、映像録画・音声録音装置１８に記録される。
【００１３】
また、図示しないが介護施設１０内には介護人が常駐しており、介護人が施設内を移動する場合には、携帯電話又は携帯端末を常時所持し、各携帯電話又は携帯端末は無線ＬＡＮ３２により事務室１１の中央処理装置１７に接続されている。
【００１４】
次に、図３も参照して本発明に係わる監視システムの動作を説明する。中央処理装置１７には異常時に通知する介護人（職員）を予め登録しておく（Ｓ−１）。本システムの作動モードとしては、スケジュール制御で行う自動モードと任意に動作させる手動モードとがある。自動モードに設定しておくと、各所の音声追尾型カメラ２０、２１、２２、２３の全てを作動状態にしておき、常時監視させるようにできる。また、手動モードに設定しておくと、被介護者を特定したり、音声追尾型カメラ２０、２１、２２、２３を特定したり、あるいは特定の場所の音声追尾型カメラ２０、２１、２２、２３を作動させるようにすることが可能である。そので、スケジュール制御で行う場合は自動モードを選択し、任意に動作させる場合には手動モードを選択するように中央処理装置１７にて設定する（Ｓ−２）。
【００１５】
スケジュール制御ＯＮか、任意制御ＯＮの設定が完了すると（Ｓ−３）、音声追尾型カメラ２０、２１、２２、２３が作動する（Ｓ−４）。音声追尾型カメラ２０、２１、２２、２３が異常音を検知すると（Ｓ−５）、カメラは異常音発生方向へ自動操作により追尾し、映像・音声を中央処理装置１７に送信する（Ｓ−６）。中央処理装置１７は、送信されてきた映像・音声を映像録画・音声録音装置１８へ記録するとともに、予め登録されている介護人の携帯電話又は携帯端末へ映像を送信する（Ｓ−７）。介護人は携帯電話又は携帯端末へ送られてきた映像を見て、異常発生場所へ向かい、必要な介護あるいは処置を行う（Ｓ−８）。
【００１６】
監視動作を停止する場合には、中央処理装置１７にてスケジュール制御をＯＦＦさせるか、任意制御をＯＦＦさせる（Ｓ−９）。この結果、音声追尾型カメラ２０、２１、２２、２３を停止する（Ｓ−１０）。
【００１７】
このようにして、被介護者が常時普通に生活している状態とは異なる、例えば、転倒、驚きの叫び声をあげる、器具・部材を落とすあるいは破壊する等の通常とは異なる異常事態に起こる音あるいは声をすばやく検出することができる。この結果、異常事態発生から短時間に被介護者のもとへ介護人が到着することが可能となった。また、本システムから得られる映像、音声を入手し得る者を介護人のように、予めアクセス権限を登録しておくようにしてあるので、被介護者のプライバシーは保護される。
【００１８】
次に、本発明の第２実施形態を図３を参照して説明する。図１と同一箇所は同一符号を付し、詳細な説明は省略する。本発明に係わる介護施設監視システムは、介護施設１０内の被介護者の異常事態監視のみならず、被介護者の家族との交流に利用することが可能である。図３に示した介護施設１０は図１に示した介護施設１０と同一であって、被介護者２８の居室１３のみを抽出して示してある。さて、被介護者２８の自宅３５には家族３６がおり、被介護者２８も家族も互いに会えることを楽しみにしているものである。そこで、介護施設１０と被介護者２８の自宅３５に音声追尾型カメラ、カメラ用サーバ２０、２４、３３，３４を設置して、両者間をインターネット３７で接続する。このようにして、双方を音声追尾型カメラ２０、３３にて撮像し互いに相手方へ映像・音声を送信することによって、リアルタイムの会話が可能となり、被介護者２８と家族３６の交流が手軽にできるようになる。
【００１９】
また、上述した実施形態では異常音の種別・発生源等は特定せず、異常音のレベルのみ通常のレベルから突出したレベルを異常と定めておくようにした。しかしながら、特定の音声を中央処理装置１７に登録しておき、登録された音声にのみ反応するように設定することも可能である。例えば、特に注意すべき特定の被介護者の音声を登録しておき、その登録音声を自動追尾のトリガー信号とすることもできる。
【００２０】
【発明の効果】
介護施設内の各所に音声追尾型カメラを配置し、異常音を検出すると、この音に追尾して現場の映像・音声を収集することができ、この映像・音声はアクセス権限を登録された介護人等が見ることにより速やかに異常音発生現場へ到着することが可能となった。被介護者のプライバシーを保護しつつ、最適な介護を行うことができるようになった。また、被介護者と家族間の交流を互いに遠隔にいても、映像・音声を伴なって歓談することが可能となった。
【図面の簡単な説明】
【図１】本発明の第１実施形態のシステム構成図。
【図２】本発明の第２実施形態のシステム構成図。
【図３】本発明の第１実施形態の動作を説明するためのフローチャート。
【符号の説明】
１０…介護施設
１１…事務室
１２…ナースセンター
１３…被介護者居室
１４…娯楽室
１５…トイレ
１６…廊下
１７…中央処理装置
１７ａ…制御装置
１７ｂ…通信インターフェース部
１７ｃ、１９…表示装置
１８…映像録画・音声録音
２０、２１、２２、２３、３３…音声追尾型カメラ
２４、２５、２６、２７、３４…カメラ用サーバ
２８、２９、３０、３１…被介護者
３２…施設内ＬＡＮ
３５…自宅
３６…家族
３７…インターネット
【図１】
2004153732.tif 000003
【図２】
2004153732.tif 000004
【図３】
2004153732.tif 000005